(57)【要約】【課題】撮像装置と表示装置の組み合わせに限定されずに、違和感なくサムネイル画像と主画像を切り替えて表示することが可能で、画像認識性が早く使用者の不快感を低減可能な画像表示装置を提供すること。【解決手段】サムネイル画像を表示した後に、同位置にサムネイル画像に対応する主画像を表示する表示手段を備えた画像表示装置において、サムネイル画像のアスペクト比が主画像のアスペクト比と一致するか否かを判定するアスペクト比判定手段と、アスペクト比が一致する場合には、縦横同倍率で拡大して、アスペクト比が一致しない場合には、縦横異なる倍率で拡大することにより、当該サムネイル画像を主画像のサイズと同じサイズに拡大する拡大手段とを備え、表示手段は、拡大手段で拡大されたサムネイル画像を表示することを特徴とする画像表示装置。【選択図】図２
2006303937.tif 000002
【特許請求の範囲】
【請求項１】
サムネイル画像を表示した後に、同位置に前記サムネイル画像に対応する前記主画像を表示する表示手段を備えた画像表示装置において、
前記サムネイル画像のアスペクト比が前記主画像のアスペクト比と一致するか否かを判定するアスペクト比判定手段と、
前記アスペクト比が一致する場合には、縦横同倍率で拡大して、前記アスペクト比が一致しない場合には、縦横異なる倍率で拡大することにより、当該サムネイル画像を主画像と同じアスペクト比で同じサイズに拡大する拡大手段とを備え、
前記表示手段は、前記拡大手段で拡大されたサムネイル画像を表示することを特徴とする画像表示装置。
【請求項２】
パディング領域の処理を行うパディング領域確認手段をさらに備え、
前記パディング領域確認手段は、
前記アスペクト比が一致しない場合に、パディング領域があるか否かを判定するパディング領域判定手段と、
パディング領域を削除したサムネイル画像のアスペクト比が主画像のアスペクト比と一致する場合に、パディング領域を削除する削除実行手段とを備えたことを特徴とする請求項２記載の画像表示装置。
【請求項３】
サムネイル画像を表示した後に、同位置に前期サムネイル画像に対応する前記主画像を表示する表示工程を含む画像表示方法において、
前記サムネイル画像のアスペクト比が前記主画像のアスペクト比と一致するか否かを判定するアスペクト比判定工程と、
前記アスペクト比が一致する場合には、縦横同倍率で拡大して、前記アスペクト比が一致しない場合には、縦横異なる倍率で拡大することにより、当該サムネイル画像を主画像と同じアスペクト比で同じサイズに拡大する拡大工程とを含み、
前記表示工程は、前記拡大工程で拡大されたサムネイル画像を表示することを特徴とする画像表示方法。
【請求項４】
パディング領域の処理を行うパディング領域確認工程をさらに含み、
前記パディング領域確認工程は、
前記アスペクト比が一致しない場合に、パディング領域があるか否かを判定し、
パディング領域を削除したサムネイル画像のアスペクト比が主画像のアスペクト比と一致する場合に、パディング領域を削除することを特徴とする請求項３記載の画像表示方法。
【請求項５】
請求項３又は４に記載された画像表示方法をコンピュータに実行させることを特徴とするプログラム。
【発明の詳細な説明】
【技術分野】
【０００１】
本発明は、デジタルカメラなどで撮影した画像を表示する画像表示装置に関するものである。
【背景技術】
【０００２】
近年、デジタルカメラの普及が進んでいる。それに伴い、デジタルカメラで撮影した画像の表示も、従来のパーソナルコンピュータによる表示にとどまらず、テレビやプリンタなどでも表示できるようになってきている。
【０００３】
一般に、デジタルカメラで撮影した画像データは、デジタルカメラファイルシステム規格であるＤＣＦ（Ｄｅｓｉｇｎ  ｒｕｌｅ  ｆｏｒ  Ｃａｍｅｒａ  Ｆｉｌｅ  ｓｙｓｔｅｍ）規格に準拠したデジタルカメラの画像ファイル規格の１つであるＥｘｉｆ（Ｅｘｃｈａｎｇｅａｂｌｅ  Ｉｍａｇｅ  Ｆｉｌｅ  Ｆｏｒｍａｔ）規格に基づいた画像ファイルの形式で作成されている。Ｅｘｉｆ規格で規定されているファイル形式は、ベースラインＪＰＥＧ形式と非圧縮Ｔｉｆｆ形式と決められている。このうち、最もよく用いられる、図５に示すような、ベースラインＪＰＥＧ形式について説明する。
【０００４】
図５（ａ）は、ＪＰＥＧ形式の画像ファイルのデータ構造を示している。図５（ａ）に示すように、ＪＰＥＧ形式の画像ファイルでは、ファイル内のデータは、マーカと呼ばれる情報単位で区切られている。上から、ＳＯＩマーカ、ＡＰＰ１マーカ、ＤＱＴマーカ、ＤＨＴマーカ、ＳＯＦ０マーカ、ＳＯＳマーカで区切られており、圧縮イメージデータを挟んでＥＯＩマーカで区切られている。ＳＯＩマーカは、画像ファイルの始まりを表わし、ＥＯＩマーカは、画像ファイルの終わりを表わしている。ＤＱＴマーカには、量子化テーブルの定義が記述され、ＤＨＴマーカには、ハフマンテーブルの定義が記述されている。ＳＯＦＯマーカはフレームを開始するための情報、ＳＯＳマーカは、例えば、スキャンの開始などの圧縮画像をデコードするための情報が記述されている。
【０００５】
また、ＡＰＰ１マーカには、Ｅｘｉｆの規格に従って、図５（ｂ）に示すようなデジタルカメラの撮影情報が記述されている。ＡＰＰ１マーカには、圧縮イメージデータとしてサムネイル画像を含めることができる。一般に、圧縮イメージデータのサムネイル画像の形式は、ベースラインＪＰＥＧ形式、ＲＧＢｒａｗ形式、ＹＣｂＣｒｒａｗ形式のいずれかと規定されているが、図５（ｂ）では、最もよく用いられるベースラインＪＰＥＧ形式が示されている。このサムネイル画像のサイズはカメラファイルシステムの規格であるＤＣＦ規格により１６０×１２０画素と決められている。
【０００６】
図５に示すようなＪＰＥＧ圧縮された画像をデコードするには、ハフマンデコード、逆量子化、逆ＤＣＴ変換、サブサンプリング補間が必要である。近年の高画素化したデジタルカメラの画像ではデコードの時間が長くなってきており、表示が遅く使用者に不快感を与えるようになってきた。とはいえ、鑑賞用としてはサムネイル画像は品質上不足であるので、どうしても主画像を表示しなければならない。
【０００７】
そこで、（特許文献１）には、画像の表示の際は、まずはサムネイル画像を主画像を表示するサイズに拡大して表示し、その後主画像で表示を置き換えることが提案されている。このようにすることで、サムネイル画像により画像の認知が早く行なえるとともに、待つことにより鑑賞に適した主画像に表示が変わるので使用者の不満を低減することが可能である。
【０００８】
一方、デジタルカメラの画像ファイルに関する規格であるＤＣＦ規格やＥｘｉｆ規格では、サムネイル画像のサイズは１６０×１２０画素のアスペクト比と規定されているが、主画像のアスペクト比は規定されていない。従って、主画像とサムネイル画像のアスペクト比が異なることが生じ、例えば、図６に示すようなサムネイルが作成される。
【０００９】
図６（ａ）は主画像であり、図６（ｂ）、（ｃ）、（ｄ）、（ｅ）は主画像に対するサムネイル画像の例である。図６（ｂ）と図６（ｃ）は、有効画像をサムネイル画像の画素サイズ以下に縮小し、あまった領域をパディング領域としたものである。図６（ｄ）は、主画像のアスペクトと一致するように画像を変形させたものである。図６（ｅ）は、サムネイル画像を規格内に収まるように切り取ったものである。ここで、パディング領域とは、画像枠と有効画像との間に存在する隙間の詰め物とされる画素であり、ＤＣＦ規格では黒画素が推奨されている。
【００１０】
このように、デジタルカメラで作成される主画像のアスペクト比は、各カメラメーカ、機種、印刷モード毎に異なっている。つまり、主画像とサムネイル画像のアスペクト比は一致するとは限らない。従って、サムネイル画像と主画像の置き換えがスムーズに行なえない場合があり、かえって違和感を感じる事態がしばしば発生する。
【００１１】
そこで（特許文献２）では、主画像とサムネイル画像のアスペクト比が一致しない場合、サムネイル画像が主画像と同じアスペクト比となるように、表示するサムネイル画像の上下、あるいは左右をクリッピングする方法が提案されている。
【００１２】
しかし、サムネイル画像に関して、サムネイル画像内のどこに有効画像があるかを指定する情報や規定は存在しない。よって、（特許文献２）のようにクリッピングすることは、多くの画像で不具合をもたらす。また、（特許文献２）には、デジタルカメラの機種情報を用いてサムネイル画像内の有効画像のレイアウトを特定する方法も記述してある。この方法は、撮像装置と表示装置との組み合わせが限定された状況（例えば撮像したデジタルカメラの液晶画面で表示など）では問題ない。しかし、近年では、幅広い表示装置にて表示を行う場面があるので、単なる機種情報では限界がある。撮像装置と表示装置の組み合わせが限定されないようにするためには、各メーカ、各機種、各モードについて機種情報を網羅しなければならず、それは現実的に困難であるし、将来の機種に対しては対応不可能である。
【００１３】
また、アスペクト比のみが一致するサムネイル画像を主画像で置き換える場合には、図７に示すように、置き換えの際のサムネイル画像と主画像の違いが大きすぎて、非常に違和感のあるものとなってしまう。さらに、図７（ａ）に示すように、サムネイル中にパディング領域がある場合は、パディング領域が黒い帯状で表示される点で、さらに違和感を与えることとなる。
【特許文献１】特開平１０−０７９９１３号公報（第２頁、右段５行目）
【特許文献２】特開２００１−１１１９５１号公報（第１０頁、左段４５行目）
【発明の開示】
【発明が解決しようとする課題】
【００１４】
このように従来の技術では、主画像の表示に先立ちサムネイル画像を表示することは、撮像装置と表示装置の組み合わせが限定された状況であれば、違和感なく表示切替が可能であるが、様々なデジタルカメラで撮像した画像を表示するような汎用の表示装置で使用するには、多くの画像でサムネイル画像と主画像の切り替え時に違和感のあるものとなり実用的でなかった。
【００１５】
本発明では、撮像装置と表示装置の組み合わせに限定されずに、違和感なくサムネイル画像と主画像を切り替えて表示することが可能で、画像認識性が早く使用者の不快感を低減可能な表示装置を提供することを目的としている。
【課題を解決するための手段】
【００１６】
上記課題を解決するために、本発明の画像表示装置は、サムネイル画像を表示した後に、同位置にサムネイル画像に対応する主画像を表示する表示手段を備えた画像表示装置において、サムネイル画像のアスペクト比が主画像のアスペクト比と一致するか否かを判定するアスペクト比判定手段と、アスペクト比が一致する場合には、縦横同倍率で拡大して、アスペクト比が一致しない場合には、縦横異なる倍率で拡大することにより、当該サムネイル画像を主画像と同じアスペクト比で同じサイズに拡大する拡大手段とを備え、表示手段は、拡大手段で拡大されたサムネイル画像を表示することを特徴とする。
【００１７】
また、本発明の画像表示方法は、サムネイル画像を表示した後に、同位置にサムネイル画像に対応する主画像を表示する表示工程を含む画像表示方法において、サムネイル画像のアスペクト比が主画像のアスペクト比と一致するか否かを判定するアスペクト比判定工程と、アスペクト比が一致する場合には、縦横同倍率で拡大して、アスペクト比が一致しない場合には、縦横異なる倍率で拡大することにより、当該サムネイル画像を主画像と同じアスペクト比で同じサイズに拡大する拡大工程とを含み、表示工程は、拡大工程で拡大されたサムネイル画像を表示することを特徴とする。
【００１８】
また、本発明のプログラムは、上記画像表示方法をコンピュータに実行させるものである。
【発明の効果】
【００１９】
上記の構成により、撮像装置と表示装置の組み合わせに限定されずに、違和感なくサムネイル画像と主画像を切り替えて表示することが可能で、画像認識性が早く使用者の不快感を低減可能な表示装置を実現できる。
【００２０】
上記の構成により、さらに、サムネイル画像の有効画像のアスペクト比と、主画像のアスペクト比とが一致しないような方法でサムネイル画像が構成されていても、サムネイル画像がゆがみなく表示されるので、違和感なく置き換え表示が可能で、画像の認識が高速で使用者の不快感を低減可能な画像表示装置を実現することができる。
【発明を実施するための最良の形態】
【００２１】
本発明の第１の発明の画像表示装置は、サムネイル画像を表示した後に、同位置にサムネイル画像に対応する主画像を表示する表示手段を備えた画像表示装置において、サムネイル画像のアスペクト比が主画像のアスペクト比と一致するか否かを判定するアスペクト比判定手段と、アスペクト比が一致する場合には、縦横同倍率で拡大して、アスペクト比が一致しない場合には、縦横異なる倍率で拡大することにより、当該サムネイル画像を主画像と同じアスペクト比で同じサイズに拡大する拡大手段とを備え、表示手段は、拡大手段で拡大されたサムネイル画像を表示することを特徴とする。この構成により、サムネイル画像と主画像のアスペクト比が異なる場合でも、パディング領域があればパディング領域を取り除いた有効画像を抽出して表示し、パディング領域がない場合はサムネイル画像を主画像のアスペクトと同じになるようアスペクト変換して表示するので、撮像装置と表示装置の組み合わせに限定されずに、違和感なく置き換え表示が可能で、画像の認識が高速で使用者の不快感を低減可能な画像表示装置を実現することができる。
【００２２】
第２の発明の画像表示装置は、第１の発明の画像表示装置において、パディング領域の処理を行うパディング領域確認手段をさらに備え、パディング領域確認手段は、アスペクト比が一致しない場合に、パディング領域があるか否かを判定するパディング領域判定手段と、パディング領域を削除したサムネイル画像のアスペクト比が主画像のアスペクト比と一致する場合に、パディング領域を削除する削除実行手段とを備えたことを特徴とする。パディング領域確認手段は、パディング領域があるかを判定するパディング領域判定手段と、パディング領域を削除すればサムネイル画像のアスペクト比が主画像のアスペクト比と一致する場合に、パディング領域の削除を実行する削除実行手段とをさらに備えたことを特徴とする。すなわち、パディング領域削除後の画像のアスペクト比が主画像のアスペクト比と一致する場合のみにパディング領域の削除を行っている。この構成により、パディング領域を設けて作成されたサムネイル画像も画像のゆがみなく表示されるので、違和感なく置き換え表示が可能で、画像の認識が高速で使用者の不快感を低減可能な画像表示装置を実現することができる。
【００２３】
第３の発明の画像表示方法は、サムネイル画像を表示した後に、同位置にサムネイル画像に対応する主画像を表示する表示工程を含む画像表示方法において、サムネイル画像のアスペクト比が主画像のアスペクト比と一致するか否かを判定するアスペクト比判定工程と、アスペクト比が一致する場合には、縦横同倍率で拡大して、アスペクト比が一致しない場合には、縦横異なる倍率で拡大することにより、当該サムネイル画像を主画像と同じアスペクト比で同じサイズに拡大する拡大工程とを含み、表示工程は、拡大工程で拡大されたサムネイル画像を表示することを特徴とする。主画像と主画像のサムネイル画像とを含む画像ファイルの画像を表示する際に、サムネイル画像を表示した後に、サムネイル画像に換えて主画像を表示する表示工程を含む画像表示方法において、サムネイル画像のアスペクト比が主画像のアスペクト比と一致するかを判定するアスペクト比判定工程と、アスペクト比が一致しない場合に、パディング領域の削除を行うパディング領域確認工程と、アスペクト比が一致する場合には、縦横同倍率で拡大し、アスペクト比が一致しない場合には、縦横異なる倍率で拡大することにより、当該サムネイル画像を主画像のサイズと同じサイズに拡大する拡大工程とを含み、表示工程は、拡大工程で拡大されたサムネイル画像を表示することを特徴とする。この構成により、サムネイル画像と主画像のアスペクト比が異なる場合でも、パディング領域があればパディング領域を取り除いた有効画像を抽出して表示し、パディング領域がない場合はサムネイル画像を主画像のアスペクトと同じになるようアスペクト変換して表示するので、撮像装置と表示装置の組み合わせに限定されずに、違和感なく置き換え表示が可能で、画像の認識が高速で使用者の不快感を低減可能な画像表示装置を実現することができる。
【００２４】
第４の発明の画像表示方法は、第３の発明の画像表示方法において、パディング領域の処理を行うパディング領域確認工程をさらに含み、パディング領域確認工程は、アスペクト比が一致しない場合に、パディング領域があるか否かを判定し、パディング領域を削除したサムネイル画像のアスペクト比が主画像のアスペクト比と一致する場合に、パディング領域を削除することを特徴とする。パディング領域確認工程は、パディング領域があるかを判定し、パディング領域を削除すればサムネイル画像のアスペクト比が主画像のアスペクト比と一致する場合に、パディング領域の削除を実行することを特徴とする。すなわち、パディング領域削除後の画像のアスペクト比が主画像のアスペクト比と一致する場合のみにパディング領域の削除を行っている。この構成により、パディング領域を設けて作成されたサムネイル画像も画像のゆがみなく表示されるので、違和感なく置き換え表示が可能で、画像の認識が高速で使用者の不快感を低減可能な画像表示装置を実現することができる。
【００２５】
第５の発明のプログラムは、第３の発明又は第４の発明の画像表示方法をコンピュータに実行させるプログラムである。この構成により、サムネイル画像と主画像のアスペクト比が異なる場合でも、パディング領域があればパディング領域を取り除いた有効画像を抽出して表示し、パディング領域がない場合はサムネイル画像を主画像のアスペクトと同じになるようアスペクト変換して表示するので、撮像装置と表示装置の組み合わせに限定されずに、違和感なく置き換え表示が可能で、画像の認識が高速で使用者の不快感を低減可能な画像表示装置を実現することができる。また、すなわち、パディング領域削除後の画像のアスペクト比が主画像のアスペクト比と一致する場合のみにパディング領域の削除を行っている。この構成により、パディング領域を設けて作成されたサムネイル画像も画像のゆがみなく表示されるので、違和感なく置き換え表示が可能で、画像の認識が高速で使用者の不快感を低減可能な画像表示装置を実現することができる。
【００２６】
以下、本発明の実施の形態について説明する。
【００２７】
（実施の形態１）
図１は、本発明の画像表示装置のハードウエア構成の一例を示すブロック図である。図１において、１００はメモリカード、１０１はメモリカードＩ／Ｆ、１０２はＣＰＵ、１０３はＲＯＭ、１０４はＲＡＭ、１０５はビデオメモリ、１０６はデータバス、１０７は表示部である。
【００２８】
メモリカード１００は、デジタルカメラなどで撮影された画像ファイルを保存するための装置に着脱可能な記録媒体である。メモリカードＩ／Ｆ１０１は、メモリカードとシステム間のインターフェイスである。
【００２９】
ＣＰＵ１０２は、ＲＯＭ１０３に格納されているプログラムに従って、装置全体を制御する中央制御ユニットである。このＣＰＵ１０２は、データバス１０６を介してメモリカードＩ／Ｆ１０１においてメモリカード１００に保存された画像ファイルを取得して、ＲＡＭ１０４に一時的に格納したり、ビデオメモリ１０５に表示部１０７で表示する画像等の表示データを一時的に格納したりすることができるように装置各部を制御する。
【００３０】
ＲＯＭ１０３は、ＣＰＵ１０２が実行可能な本発明のプログラムやデータを格納している。ＲＡＭ１０４は、メモリカード１００から取得した画像ファイルを格納したり、指定されたプログラム、入力データおよび処理結果等を格納するものである。
【００３１】
ビデオメモリ１０５は、表示部１０７に表示する画像等の表示データを一時的に格納するものである。データバス１０６は、メモリカードＩ／Ｆ１０１、ＣＰＵ１０２、ＲＯＭ１０３、ＲＡＭ１０４、ビデオメモリ１０５をそれぞれ通信可能なように接続するものである。表示部１０７は、ビデオメモリ１０５に格納された画像等の表示データを表示するＬＣＤ等の表示装置である。
【００３２】
次に、上述した画像表示装置の動作について図２、図３のフローチャートを用いて説明する。図２は、画像表示装置において画像を表示する際のプログラム構成を示すフローチャートである。
【００３３】
本発明の画像表示装置においては、ＣＰＵ１０２が、ＲＯＭ１０３に保存された図２に示されたプログラムを読み出して、装置各部を適宜制御することによって各手段を実現している。
【００３４】
まず、ＣＰＵ１０２は、メモリカード１００から画像ファイルを取得し、ＲＡＭ１０４に格納することによって、画像ファイルを読み込む（ステップＳ５０１）。ＣＰＵ１０２は、読み込んだ画像ファイルがＤＣＦ準拠のＥｘｉｆファイルであるかを調べる（ステップＳ５０２）。ＤＣＦ準拠のＥｘｉｆファイルでない場合は、ＣＰＵ１０２は、主画像をデコードして（ステップＳ５１１）、ビデオメモリ１０５に格納して表示部１０７に表示を行なわせる（ステップＳ５１２）。
【００３５】
ＤＣＦ準拠のＥｘｉｆファイルである場合は、ＣＰＵ１０２は、画像ファイルにサムネイル画像があるかどうか調べる（ステップＳ５０３）。サムネイル画像がない場合は、ＣＰＵ１０２は、主画像をデコードして（ステップＳ５１１）、ビデオメモリ１０５に格納して表示部１０７に表示を行なわせる（ステップＳ５１２）。
【００３６】
サムネイル画像がある場合は、ＣＰＵ１０２は、サムネイル画像のデコードを行なう（ステップＳ５０４）。
【００３７】
次に、ＣＰＵ１０２は、サムネイル画像のアスペクト比が主画像のアスペクト比と一致するかを判定する（ステップＳ５０５）。一致する場合は、ＣＰＵ１０２は、縦横同倍率で拡大することにより、そのままアスペクト比を維持しながらサムネイル画像を表示サイズに拡大し（ステップＳ５０６）、ビデオメモリ１０５に格納して拡大した画像を表示部１０７に表示させる（ステップＳ５１０）。
【００３８】
一致しない場合は、ＣＰＵ１０２は、パディング領域があるか調べる（ステップＳ５０７）。パディング領域がなければ、ＣＰＵ１０２は、主画像のアスペクト比になるようにサムネイル画像を縦横異なる倍率で拡大して（ステップＳ５０９）、ビデオメモリ１０５に格納して拡大した画像を表示部１０７に表示させる（ステップＳ５１０）。
【００３９】
パディング領域があれば、ＣＰＵ１０２は、パディング領域を削除し（ステップＳ５０８）、残った有効画像を主画像のアスペクト比になるように表示サイズに拡大して（ステップＳ５０９）、ビデオメモリ１０５に格納して拡大した画像を表示部１０７に表示させる（ステップＳ５１０）。
【００４０】
サムネイル画像の表示が終わると、ＣＰＵ１０２は、主画像をデコードして（ステップＳ５１１）、主画像でサムネイル画像を置き換えてビデオメモリ１０５に格納して表示部１０７に表示を行なわせる（ステップＳ５１２）。
【００４１】
図２において、アスペクト比判定手段は、ステップＳ５０５のプログラム部分に相当し、パディング領域確認手段は、ステップＳ５０７及びステップＳ５０８のプログラム部分に相当し、拡大手段は、ステップＳ５０６及びステップＳ５０９のプログラム部分に相当し、表示手段は、ステップＳ５１０〜Ｓ５１２のプログラム部分に相当する。
【００４２】
また、本発明の画像表示方法においては、ステップＳ５０５においてアスペクト比判定工程の処理を行い、ステップＳ５０７及びステップＳ５０８においてパディング領域確認工程の処理を行い、ステップＳ５０６及びステップＳ５０９において拡大工程の処理を行い、ステップＳ５１０〜Ｓ５１２において表示工程の処理を行っている。
【００４３】
図３は、画像表示装置においてパディング領域を確認する際のプログラム構成を示すフローチャートである。本発明の画像表示装置においては、ＣＰＵ１０２が、ＲＯＭ１０３に保存された図３のプログラムを読み出して、装置各部を適宜制御することによって各手段を実現している。
【００４４】
図３は、サムネイル画像の先頭行からパディング領域があるかを調べる場合を例示している。まず、ＣＰＵ１０２は、ライン数のカウンタｃｎｔ１を０に設定する（ステップＳ６０１）。ＣＰＵ１０２は、順次、行内に黒画素以外の画素があるかどうか調べる（ステップＳ６０２）。全て黒画素であれば次の行へ進み、ＣＰＵ１０２は、ｃｎｔ１をカウントアップする（ステップＳ６０３）。このステップＳ６０２〜６０３を繰り返し、行内に黒以外の画素がある行でループを抜ける。この時点で、サムネイル画像の上側のパディング領域を検出できる。
【００４５】
同様に、ＣＰＵ１０２は、最終行から遡ることでサムネイル画像の下側のパディング領域を検出する（ステップＳ６０４〜Ｓ６０６）。同様に、ＣＰＵ１０２は、列方向に対しては、先頭列から始めてサムネイル画像の左側のパディング領域を検出し（ステップＳ６０７〜６０９）、最終列から遡ることでサムネイル画像の右側のパディング領域を検出する（ステップＳ６１０〜Ｓ６１２）。ここまででサムネイル画像の４方のパディング領域が検出できる。
【００４６】
ついで、ＣＰＵ１０２は、パディング領域を削除した後に残された有効画像のアスペクト比が主画像のアスペクト比に一致することを確認する（ステップＳ６１３）。ここで、ＪＰＥＧは非可逆圧縮であるため、一致かどうかは、デコード後の画像に発生する誤差を考慮して判断することが好ましい。例えば、削除後の有効画像について、さらに４画素分の列を削除すれば、主画像のアスペクト比と同じになる場合も、一致すると判断することが好ましい。ＪＰＥＧは８×８画素のブロックを単位としてコーディングを行っているので、パディング領域の境界がこのブロック内にあるときは、コーディング前と後でパディング領域の境界がずれることとなるため、誤差を生じる可能性があるからである。
【００４７】
一致しない場合は、すなわち、主画像に変形が加えられた後に、パディング領域を付加して作成されたサムネイル画像であることを示していると考えられるので、そのまま処理を終了する。一致すれば、ＣＰＵ１０２は、パディング領域を削除して（ステップＳ６１４）、処理を終了する。
【００４８】
図３において、パディング領域判定手段は、ステップＳ６０１〜Ｓ６１３のプログラム部分に相当し、削除実行手段は、Ｓ６１４のプログラム部分に相当する。また、本発明の画像表示方法においては、ステップＳ６０１〜Ｓ６１３においてパディング領域判定工程の処理を行い、Ｓ６１４において削除実行工程の処理を行っている。
【００４９】
次に、本発明の画像表示装置における表示される画像について説明する。図４は、本発明の画像表示装置における画像表示の様子を説明するための図である。図４（ａ）乃至（ｅ）は、サムネイル画像中にパディング領域がある場合の処理例を示しており、図４（ｆ）乃至（ｉ）は、サムネイル画像が変形している場合の処理例を示している。
【００５０】
図４（ａ）に示されるように、サムネイル画像中にパディング領域を含む場合は、パディング領域確認手段が、パディング領域を削除して図４（ｂ）に示す画像を得る。拡大手段は、得られた画像を図４（ｃ）に示すように主画像のサイズに拡大して、表示手段は、拡大された画像を表示する。このように、サムネイル画像が一旦表示されている間に、主画像のデコードが終了して表示可能な状態になると、表示手段は、図４（ｄ）に示すように、サムネイル画像を少しずつ主画像に置き換えて表示する。表示手段は、最終的には図４（ｅ）に示すように、主画像を表示する。
【００５１】
図４（ｆ）に示されるように、サムネイル画像が変形している場合は、拡大手段は、サムネイル画像の縦横を異なる倍率で拡大して、図４（ｇ）に示すような画像とし、表示手段は、拡大された画像を表示する。その後の処理は、パディング領域を含むサムネイル画像の処理と同様である。
【００５２】
このように、本発明の画像表示装置では、サムネイル画像の表示位置に主画像を置き換えるときも（図４（ｈ））、表示しているサムネイル画像と主画像との間には大きな違いがなく、違和感なく置き換えが可能である。最終的に図４（ｉ）のように主画像を表示する。
【００５３】
以上の構成により、サムネイル画像と主画像のアスペクト比が異なる場合でも、パディング領域があればパディング領域を取り除いた有効画像を抽出して表示し、パディング領域がない場合はサムネイル画像を主画像のアスペクトと同じになるようアスペクト変換して表示するので、撮像装置と表示装置の組み合わせに限定されずに、違和感なく置き換え表示が可能で、画像の認識が高速で使用者の不快感を低減可能な画像表示装置を実現することができる。
【００５４】
また、すなわち、パディング領域削除後の画像のアスペクト比が主画像のアスペクト比と一致する場合のみにパディング領域の削除を行っており、パディング領域を設けて作成されたサムネイル画像も画像のゆがみなく表示されるので、違和感なく置き換え表示が可能で、画像の認識が高速で使用者の不快感を低減可能な画像表示装置を実現することができる。
【産業上の利用可能性】
【００５５】
以上のように、本発明にかかる画像表示装置、画像表示方法および方法を実行させるプログラムは、デジタルカメラで撮影した画像を表示することに有用であり、特に、高画素数の画像を表示することに適している。
【図面の簡単な説明】
【００５６】
【図１】本発明の実施の形態における画像表示装置のブロック図
【図２】本発明の画像表示装置における動作を示すフローチャート
【図３】本発明の削除実行手段における動作を示すフローチャート
【図４】本発明にかかる画像表示例を説明するための図
【図５】ＤＣＦ規格によるＪＰＥＧ画像の構造を示す図
【図６】主画像と各種サムネイル画像の関係を説明するための図
【図７】従来の画像表示装置における画像表示例を説明するための図
【符号の説明】
【００５７】
１００    メモリカード
１０１    メモリカードＩ／Ｆ
１０２    ＣＰＵ
１０３    ＲＯＭ
１０４    ＲＡＭ
１０５    ビデオメモリ
１０６    データバス
１０７    表示部
【図１】
2006303937.tif 000003
【図２】
2006303937.tif 000004
【図３】
2006303937.tif 000005
【図４】
2006303937.tif 000006
【図５】
2006303937.tif 000007
【図６】
2006303937.tif 000008
【図７】
2006303937.tif 000009